(57)【要約】【課題】チラシを計画的に発注できるとともに、全体の配布部数を参照しながら地域毎の配布部数の設定が容易なチラシ発注を可能にする。【解決手段】店舗端末からチラシ処理サーバに対して、少なくとも配布計画と、表面印刷指定とを送信するチラシ申込ステップと、デザイナ端末より入力されたチラシレイアウトをチラシ処理サーバから店舗端末にダウンロード表示させて、チラシレイアウトの決定と、パーツの入力または変更を店舗端末から受け付ける紙面配置パーツデータ入力ステップと、チラシレイアウトをチラシ処理サーバから店舗端末にダウンロード表示させて、店舗端末からチラシ処理サーバに対してチラシ発注申請を受け付けるチラシ発注申請ステップと、からなるコンピュータネットワークを用いたチラシ生成システムとする。【選択図】図１
2009110436.tif 000002
【特許請求の範囲】
【請求項１】
少なくともチラシ申込処理指示とチラシ発注申請とを行う店舗端末と、
前記店舗端末とネットワークを介して接続されたチラシ処理サーバとからなり、
前記チラシ処理サーバは、前記チラシに用いられるパーツの管理を行うとともに、決定されたチラシデザインのテンプレートを登録するデザイナ端末が接続されており、
前記店舗端末から前記チラシ処理サーバに対して、少なくとも配布計画と、表面印刷指定とを送信するチラシ申込ステップと、
前記デザイナ端末より入力されたチラシレイアウトを前記チラシ処理サーバから前記店舗端末にダウンロード表示させて、チラシレイアウトの決定と、パーツの入力または変更を前記店舗端末から受け付ける紙面配置パーツデータ入力ステップと、
前記チラシレイアウトを前記チラシ処理サーバから前記店舗端末にダウンロード表示させて、前記店舗端末から前記チラシ処理サーバに対してチラシ発注申請を受け付けるチラシ発注申請ステップと、
からなるコンピュータネットワークを用いたチラシ生成システム。
【請求項２】
前記チラシ申込ステップにおける配布計画は、少なくとも地図データを２以上のエリアに分割して表示するとともに、当該エリア毎に配布部数を増減可能な入力インターフェースを有する請求項１記載のコンピュータネットワークを用いたチラシ生成システム。
【請求項３】
前記チラシ申込ステップにおける配布計画は、少なくとも地図データを２以上のエリアに分割して表示するとともに、当該エリア毎に年齢層、性別の人口構成比に比例して配布部数を増減可能な入力インターフェースを有する請求項２記載のコンピュータネットワークを用いたチラシ生成システム。
【発明の詳細な説明】
【技術分野】
【０００１】
本発明は、配布ニーズに適したチラシ生成システムに関する。
【背景技術】
【０００２】
新聞の折込広告等のチラシは、配布する地域毎に代理店等がレイアウトを作成して印刷会社に所定部数の印刷を依頼するのが一般的であった。
【０００３】
このようなチラシ広告をネット上で生成するシステムとして、特開２００７−１２２３４７号公報（特許文献１）が挙げられる。
【０００４】
この特許文献１では、Ｗｅｂの知識に乏しくＷｅｂサイトの構築に不慣れな人でも、Ｗｅｂサイト上で電子的なチラシ広告や折込広告を容易に提供できるようにするため、ウェブ上で電子的なチラシ広告または折込広告を提供する広告サイトの広告テンプレート情報をサーバ装置３に用意しておき、クライアント端末１からサーバ装置３に商品情報と広告情報が登録できるようにし、クライアント端末６から広告問い合わせを受けると、サーバ装置３が商品情報と広告情報と広告テンプレート情報とを加工して広告サイトを自動的に作成するものであった。
【特許文献１】特開２００７−１２２３４７号公報
【発明の開示】
【発明が解決しようとする課題】
【０００５】
前記特許文献１は、インターネットを利用してあらかじめ商品情報と広告テンプレート情報とを加工して広告サイトやチラシを生成することにより、効率的な作業が可能である点で優れているといえる。
【０００６】
しかし、配布地域の人口特性（たとえば独身者が多いか、家族が多いか、二世帯家庭が多いか等）に合わせて配布部数を変更したい場合が多いが、全体の予算が決まっている場合等に地域毎の配布部数を調整することが難しく、前記特許文献１ではこのような点が考慮されていないことを本発明者等は見い出した。
【０００７】
本発明は、このような点に鑑みてなされたものであり、チラシを計画的に発注できるとともに、全体の配布部数を参照しながら地域毎の配布部数の設定が容易なチラシ発注を可能にすることを技術的課題とする。
【０００８】
本発明の請求項１は、少なくともチラシ申込処理指示とチラシ発注申請とを行う店舗端末と、前記店舗端末とネットワークを介して接続されたチラシ処理サーバとからなり、前記チラシ処理サーバは、前記チラシに用いられるパーツの管理を行うとともに、決定されたチラシデザインのテンプレートを登録するデザイナ端末が接続されており、前記店舗端末から前記チラシ処理サーバに対して、少なくとも配布計画と、表面印刷指定とを送信するチラシ申込ステップと、前記デザイナ端末より入力されたチラシレイアウトを前記チラシ処理サーバから前記店舗端末にダウンロード表示させて、チラシレイアウトの決定と、パーツの入力または変更を前記店舗端末から受け付ける紙面配置パーツデータ入力ステップと、前記チラシレイアウトを前記チラシ処理サーバから前記店舗端末にダウンロード表示させて、前記店舗端末から前記チラシ処理サーバに対してチラシ発注申請を受け付けるチラシ発注申請ステップと、からなるコンピュータネットワークを用いたチラシ生成システムである。
【０００９】
この請求項によれば、インターネット等の汎用のネットワークシステムを経由してチラシを計画的に発注することが可能になる。
【００１０】
本発明の請求項２は前記チラシ申込ステップにおける配布計画は、少なくとも地図データを２以上のエリアに分割して表示するとともに、当該エリア毎に配布部数を増減可能な入力インターフェースを有する請求項１記載のコンピュータネットワークを用いたチラシ生成システムである。
【００１１】
この請求項によれば、エリア毎にきめの細かい配布部数を設定することが可能となる。たとえば、ファミリー層の多い地域と独身層の多い地域とで配布するチラシを地域毎に増減でき、対象セグメントにマッチしたチラシ配布が可能となる。
【００１２】
本発明の請求項３は、前記チラシ申込ステップにおける配布計画は、少なくとも地図データを２以上のエリアに分割して表示するとともに、当該エリア毎に年齢層、性別の人口構成比に比例して配布部数を増減可能な入力インターフェースを有する請求項２記載のコンピュータネットワークを用いたチラシ生成システムである。
【００１３】
ここでエリア毎の年齢層や性別の情報は国や市町村が公開している居住者の統計データに基づいて得ることができる。このような年齢層、性別の人口構成比に比例した配布部数の自動計算を行うことにより、さらにターゲットを絞った広告効果を得ることができる。
【発明の効果】
【００１４】
本発明によれば、チラシを計画的に発注できるとともに、配布地域の特性に応じた配布部数の設定が可能なチラシ発注システムを実現できる。
【発明を実施するための最良の形態】
【００１５】
次に本発明の実施形態を図を用いて説明する。
【００１６】
図１は、実施形態のシステム構成を示すブロック図である。
【００１７】
同図に示すように、本システムはチラシ処理サーバを有しており、このチラシ処理サーバはデザイナ端末（デザイナＰＣ）と営業端末（営業ＰＣ）とを有している。また、チラシ処理サーバは、汎用のネットワーク（たとえばインターネット）を介して顧客企業（クライアント企業）の本部端末（本部ＰＣ）に接続され、この本部端末はさらに当該顧客の店舗端末（店舗ＰＣ）を有している。
【００１８】
なお、デザイナ端末と営業端末とは、ローカルネットワークを介してチラシ処理サーバに接続されていてもよいし、汎用ネットワークを介して接続されていてもよい。本部端末と店舗端末とについても同様である。
【００１９】
チラシ処理サーバは、汎用のコンピュータサーバであり、中央処理装置（ＣＰＵ）を中心に、バス（ＢＵＳ）で接続された主記憶装置（ＭＭ）、大規模記憶装置としてのハードディスク装置（ＨＤ）を有している。このハードディスク装置（ＨＤ）には、オペレーティングシステム（ＯＰ）とともに、サーバアプリケーションプログラムが登録されており、当該プログラムがバス（ＢＵＳ）および主記憶装置（ＭＭ）を介して中央処理装置（ＣＰＵ）に順次読み込まれて実行処理されることによって、チラシ処理サーバの機能が実現されるようになっている。
【００２０】
なお、ハードディスク装置（ＨＤ）には、デザイナ端末のためのチラシのテンプレートや部品画像が蓄積されており、さらに営業端末のための顧客情報等が顧客データベース（
ＤＢ）として蓄積されていてもよい。
【００２１】
なお、顧客データベースおよびその他のデータベースは、図１５に示す項目がデータ化されて蓄積されており、このようなデータベースは、チラシ処理サーバのハードディスク装置（ＨＤ）に構築されていてもよいし、あるいはネットワークを介して別のデータベースサーバに構築されていてもよい。
【００２２】
なお、営業端末、デザイナ端末、本部端末および店舗端末のいずれもハードウエアとしては、前記と同様のコンピュータシステムとなっているが、説明は省略する。
【００２３】
図２は、本実施形態の処理フローを示す図である。
【００２４】
同図に示すように、本実施形態のチラシ発注システムは店舗端末と、本部端末と、営業端末と、デザイナ端末からの入力指示によって処理が進んでいく。
【００２５】
まず営業端末から顧客企業をチラシ処理サーバの顧客データベースに登録する処理を行う。このとき、営業端末からは顧客企業がログイン可能な状態とするために、ログインユーザ情報を前記顧客データベースに登録する処理を行う。
【００２６】
次に、デザイナ端末はその顧客のためのチラシ作成用のパーツを登録し、パーツ管理処理を行う。
【００２７】
パーツ管理処理の処理手順を示したものが図３である。
【００２８】
同図に示す手順によれば、まずデザイナ端末よりデザイナがログイン処理（図１６参照）を行う。これによって、デザイナ端末の表示装置には、全本部企業の一覧が表示され、対象本部企業が選択可能となる。
【００２９】
次に、新規登録である場合には、チラシ処理サーバまたはデザイナ端末に格納されている画像パーツのファイルを選択して、そのパーツ属性を入力した上でチラシ処理サーバにアップロードする。
【００３０】
また、新規登録でない場合には、パーツの削除も可能となっている。
【００３１】
次に、店舗端末より行われる既存顧客情報の登録処理手順について図４および図５を用いて説明する。
【００３２】
図４に示した既存顧客情報の登録処理は、後述の到達予測シミュレーション時に配布グループ地域内の居住者情報と店舗既存顧客情報を比較検討するために顧客情報を店舗側で登録する場合の処理である。
【００３３】
この既存顧客の情報の登録処理において、店舗端末からネットワークを介してチラシ処理サーバにログイン（図１６参照）した後に、店舗端末のハードディスク装置（ＨＤ）に格納されている既存顧客情報ＣＳＶファイル(Comma Separated Value file)を選択して（図１７参照））、チラシ処理サーバに対してアップロードする。このとき、あらかじめ既存顧客情報をスプレッドシート形式のアプリケーションプログラムを用いて定型フォーマットで生成しておき当該アプリケーションプログラムのアウトポート機能を用いてＣＳＶファイルを出力しておく。
【００３４】
前記アップロードが完了した後、チラシ処理サーバの顧客データベースまたはハードデ
ィスク装置に格納された既存顧客情報に対して、配布グループ情報を付加する。
【００３５】
ここで配布グループとは、チラシを配布するエリアをグループ分けしたものをいい、新聞販売店が配布可能なエリア毎、または、市町村毎にグループ分けする。
【００３６】
また、配布グループ情報とは、グループ分けされたチラシを配布する新聞販売店情報、配布可能なエリア情報（地区・番地等）、そのエリアに配布されるチラシの部数を示す。
【００３７】
図５に示した既存顧客情報の登録処理は、到達予測シミュレーション時に配布グループ地域内の居住者情報と店舗既存顧客情報を比較検討するために顧客情報を店舗本部が統括し登録する場合の処理である。
【００３８】
この処理において、本部端末からネットワークを介してチラシ処理サーバにログインした後に（図１６参照）、当該本部端末が管轄する登録店舗を検索し、対象店舗を選択した後に、本部端末自身のハードディスク装置（ＨＤ）に格納された既存顧客情報ＣＳＶファイルをその対象店舗の顧客情報としてチラシ処理サーバにアップロードする（図１８参照）。
【００３９】
当該アップロードが完了した後に、チラシ処理サーバの顧客データベースまたはハードディスク装置に格納された既存顧客情報に対して、配布グループ情報を付加する。
【００４０】
このような処理を当該本部端末が管轄する他店舗に対しても行う場合には前記処理を繰り返す。
【００４１】
図６は、店舗端末からチラシ申込の処理を行う際の手順を示したフロー図である。
【００４２】
チラシ配布の申込を行う場合、まず、店舗端末からネットワークを介してチラシ処理サーバにログインし、メニュー画面（図１９参照）を店舗端末の表示装置にダウンロード表示させた後、当該メニュー画面から「配布計画」（図１９では「チラシ申込フォーム」）か、「表面指定」（オモテ面のご指定）か、「裏面指定」（ウラ面のご指定）かを選択させる。
【００４３】
ここで「配布計画」（チラシお申込フォーム）の場合には、図７に示すフロー図に遷移する。またチラシ表面または裏面指定の場合には、後述の図１１に示す紙面配置・要素確認処理フローに遷移する。
【００４４】
これらの指定が全て完了した段階で、構成ＰＤＦ作成依頼メールが自動生成されて店舗端末からチラシ処理サーバに送信される。
【００４５】
図７は、「配布計画」の処理フロー図である。
【００４６】
チラシ配布計画処理の初期画面では、配布計画調整画面（図２０参照）がまず表示される。ここでは、図２０に示すように、配布エリアが矩形状に分割されており、各エリア毎にマウスカーソルを配置したときに図９および図２０に示すような数値の増減ボタンが表示されている。この増減ボタンをマウス等の入力補助装置で指定入力（クリック入力）することによって当該エリアへの配布数の増減調整が可能となっている。すなわち、数値の左の「−」をクリックすることによって数値が１ずつ減ってゆき、数値の右の「＋」をクリックすることによって数値が１ずつ増加していくようになっている。
【００４７】
なお、同図では配布エリアは矩形状に分割しているがかならずしもこれに限定されるわ
けではなく、円形または市町村の境界に沿った不定形のエリア形状であってもよい。
【００４８】
このように調整ボタンの数値を調整・設定し、その数値毎に表示される到達予測シミュレーション表示を参照しながら店舗端末のオペレータはエリア毎の配布部数を決定することができる。
【００４９】
配布部数を変更する場合には、再度配布計画調整画面に戻り、前記増減ボタンを再調整することで配布部数の変更が可能である。
【００５０】
また、配布計画シミュレーション画面（図２１参照）において全体の部数を入力することによって、当該エリアの人口分布に基づく男女別、年齢別の配布部数のシミュレーション結果が表示されるようになっている（図２１参照）。
【００５１】
次に、このシミュレーション結果を参照しながら店舗端末のオペレータは、発注数量（図２２における「ご発注数量」）を入力する。
【００５２】
図８および図９は、到達予測シミュレーション計算のユーザインターフェース画面を説明するための図である。
【００５３】
図８に示すように、前処理として、目的に合わせたチラシ配布が可能なように、店舗の対象エリアを配布グループ毎に分割して、それぞれに増減ボタンを表示できるようにしてある。つまり、ここでは配布エリアを１および２に分割し、増減ボタンで配布部数を調整できるようになっている。図９に示すような対象エリアの年齢層と男女の人口が国勢調査の人口統計を基礎に区分されている。増減ボタンで数値が設定されると、調整後の人口を計算し、配布到達予測シミュレーションが行われる。
【００５４】
この増減ボタンでは、１〜１０段階の数値設定が可能であり、１０を１００％として表示している。したがって、１（＝１０％）〜１０（＝１００％）まで１０％毎の調整が可能となっている。たとえば、当該エリアの全人口にチラシを配布したい場合には「１０」を設定すればよい。
【００５５】
ここで、図９に示すように、当該エリアにおいて配布部数を１０％減らす場合には、増減ボタンの数値を１０→９に変更すればよい。このとき、配布エリアの人口統計区分にしたがってチラシ処理サーバの中央処理装置（ＣＰＵ）において計算処理が行われ、図９の中央に示された数値に配布部数が再計算される。
【００５６】
同様に、図９の右側図では、増減ボタンを１０→６に変更した場合の配布部数を再計算した場合の例を示している。
【００５７】
図１０は、配布部数を変更した後に、前段階で行った人口の比率を保ったまま配布部数をシミュレートする場合の例である。
【００５８】
同図に示すように、それぞれが異なる分割エリア１および２のそれぞれの人口統計区分毎に加算処理を行い、総ボリューム数（ここでは９＋６＝１５）を計算する。
【００５９】
次に、部数変更シミュレーションで算出された総ボリューム数で除算し、総ボリューム１５中の１に対しての配布部数を再計算する。
【００６０】
そして、算出された配布部数を分割エリア１と２の各数値に乗算するとボリューム調整の比率を維持したまま各配布エリア１および２の配布部数が算出できる。これによって計
算されたシミュレート結果の総配布部数は４５０００部となり、当初の配布計画である３０，０００部を１５，０００部ほどオーバーしていることがわかる。
【００６１】
シミュレーション部数を表示状態にして発注数量の入力画面を示したものが図２２である。
【００６２】
図１１は、紙面配置・要素確認処理フローを示している。
【００６３】
同図に示すように、店舗端末の表示装置上に表示されたチラシレイアウトを参照しながら（図２３参照）、当該店舗端末のオペレータは、ＰＤＦを表示させてレイアウトを決定する。このとき、チラシの画像パーツは入れ替えが可能であり、オペレータが任意にレイアウトを再配置できる（図２４参照）。
【００６４】
一方、パーツデータの入力処理（図１２参照）では、図２５に示すように、デザイナ端末より当該デザイナ端末のハードディスク装置（ＨＤ）またはチラシ処理サーバに蓄積されたデータ入力に必要な全パーツを表示させて、パーツを選択させるとともに当該パーツのＰＤＦを表示してデータ入力を促す。ここで入力するデータとは、たとえば主として営業時間や金額等の文字データである。
【００６５】
図１３は、店舗端末の操作によって行われるチラシ発注申請処理のフロー図である。
【００６６】
まず、店舗端末からネットワークを介してチラシ処理サーバにログインした後、メニュー画面から校正確認画面（図２６参照）に遷移する。
【００６７】
この画面では、校正対象となるＰＤＦを表示して店舗端末のオペレータに対して修正指示を促す。ここで修正指示がある場合には、画面上に表示されたＰＤＦに書き込みを行ってもよいし、当該ＰＤＦを印刷してペン等で修正指示を書き込んだものをファクシミリ送信してもよい。
【００６８】
図１４は、本部端末によって処理されるチラシ発注承認処理のフロー図である。
【００６９】
本部端末では、管轄する店舗端末からチラシ発注申請を受け付けた場合に、校正ＰＤＦを確認・承認し、正式にチラシを発注する等の進捗管理処理を行うものである。
【００７０】
本部端末からネットワークを介してチラシ処理サーバにログインした後、検索条件を選択し、チラシ発注処理毎の進行状況を表示させる（図２７参照）。この中で、本部としての承認対象となっている案件がある場合には当該チラシのＰＤＦを表示させて承認処理を行う。具体的にはＰＤＦとともに表示された「承認」ボタンをマウス等の補助入力装置で指定してクリックすることによって行われる。
【００７１】
前記承認処理が完了すると、チラシ発注承認メールがチラシ処理サーバを介して営業端末に送信される。
【００７２】
また、承認を拒否する場合にはＰＤＦとともに表示された「承認拒否」ボタンをマウス等の補助入力装置で指定してクリックすることによって承認拒否メールがチラシ処理サーバを介して営業端末に送信される。
【００７３】
以上、本実施形態では新聞の折込広告の発注処理に適用して説明したがこれに限定されるものではなく、たとえば地域毎のダイレクトメールの配布部数の決定に用いることも可能である。
【産業上の利用可能性】
【００７４】
本発明は、新聞の折込広告チラシやダイレクトメール等の地域毎の配布計画に利用することができる。
【図面の簡単な説明】
【００７５】
【図１】本発明のシステム構成図
【図２】店舗端末、本部端末、営業端末およびデザイナ端末間の処理フロー図
【図３】パーツ管理処理フロー図
【図４】既存顧客情報登録処理フロー図（１）
【図５】既存顧客情報登録処理フロー図（２）
【図６】チラシ申込処理フロー図
【図７】チラシ配布計画処理フロー図
【図８】分割エリア毎の数値設定説明図（１）
【図９】分割エリア毎の数値設定説明図（２）
【図１０】配布部数分割計算の説明図
【図１１】紙面配置・要素確認処理フロー図
【図１２】パーツデータ入力処理フロー図
【図１３】チラシ発注申請処理フロー図
【図１４】チラシ発注承認処理フロー図
【図１５】データベースの内部項目説明図
【図１６】ログイン画面
【図１７】店舗端末によるＣＳＶファイルのアップロード画面
【図１８】本部端末によるＣＳＶファイルのアップロード画面
【図１９】メニュー選択画面
【図２０】配布計画調整画面
【図２１】配布計画シミュレーション画面
【図２２】発注数量の入力画面
【図２３】紙面配置確認画面
【図２４】パーツ入れ替え確認画面
【図２５】データ入力画面
【図２６】校正確認画面
【図２７】進行状況確認画面
【図１】
2009110436.tif 000003
【図２】
2009110436.tif 000004
【図３】
2009110436.tif 000005
【図４】
2009110436.tif 000006
【図５】
2009110436.tif 000007
【図６】
2009110436.tif 000008
【図７】
2009110436.tif 000009
【図８】
2009110436.tif 000010
【図９】
2009110436.tif 000011
【図１０】
2009110436.tif 000012
【図１１】
2009110436.tif 000013
【図１２】
2009110436.tif 000014
【図１３】
2009110436.tif 000015
【図１４】
2009110436.tif 000016
【図１５】
2009110436.tif 000017
【図１６】
2009110436.tif 000018
【図１７】
2009110436.tif 000019
【図１８】
2009110436.tif 000020
【図１９】
2009110436.tif 000021
【図２０】
2009110436.tif 000022
【図２１】
2009110436.tif 000023
【図２２】
2009110436.tif 000024
【図２３】
2009110436.tif 000025
【図２４】
2009110436.tif 000026
【図２５】
2009110436.tif 000027
【図２６】
2009110436.tif 000028
【図２７】
2009110436.tif 000029